【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
メディアネットワーク内の第１のユーザ機器装置および第２のユーザ機器装置の少なくとも一方によって実行される録画関連動作に基づいて、双方向メディアガイダンスアプリケーションを個人化するための方法であって、
番組を録画することに関連する第１の動作を示す、該第１のユーザ機器装置からの情報を受信することと、
番組を録画することに関連する第２の動作を示す、該第２のユーザ機器装置からの情報を受信することと、
該第１および第２のユーザ機器装置からの該受信した情報に基づいて、プロファイルを生成することと、
該生成したプロファイルに基づいて、該第１および第２のユーザ機器装置上に実装される双方向メディアガイダンスアプリケーションを個人化することと
を含む、方法。
【請求項２】
前記第１および第２の動作は、前記番組の録画を命令すること、該番組の録画を予定に入れること、該番組を録画すること、および該番組の録画を削除することのうちの少なくとも１つを含む、請求項１に記載の方法。
【請求項３】
前記プロファイルは、ユーザの選好情報と、前記第１および第２のユーザ機器装置の装置構成情報とを閲覧することを含み、該装置構成情報は、ユーザ動作の時間中の、各装置上の利用可能な記憶スペース、各装置の現在の状態、および各装置の予測状態のうちの少なくとも１つを備える、各ユーザ機器装置の状態を提供する、請求項１に記載の方法。
【請求項４】
前記プロファイルは、前記第１および第２のユーザ機器装置の少なくとも一方において発生した非録画動作の一覧を含む、請求項１に記載の方法。
【請求項５】
前記双方向メディアガイダンスアプリケーションを個人化することは、標的広告を表示することを含む、請求項１に記載の方法。
【請求項６】
前記双方向メディアガイダンスアプリケーションを個人化することは、前記第１および第２のユーザ機器装置上で見られたことがない番組を推奨することを含む、請求項１に記載の方法。
【請求項７】
前記第１および第２のユーザ機器装置の各々のタイプに基づいて、前記双方向メディアガイダンスアプリケーションを個人化することをさらに含む、請求項１に記載の方法。
【請求項８】
前記プロファイルは、前記第１のユーザ機器装置および前記第２のユーザ機器装置によって録画された番組の録画履歴を含む、請求項１に記載の方法。
【請求項９】
メディアネットワーク内の第１のユーザ機器装置および第２のユーザ機器装置のうちの少なくとも一方によって実行される録画関連動作に基づいて、双方向メディアガイダンスアプリケーションを個人化するためのメディアガイダンスシステムであって、
番組を録画することに関連する第１の動作を示す、該第１のユーザ機器装置からの情報を受信することと、
番組を録画することに関連する第２の動作を示す、該第２のユーザ機器装置からの情報を受信することと、
該第１および第２のユーザ機器装置からの該受信した情報に基づいてプロファイルを生成することと、
該生成したプロファイルに基づいて、該第１および第２のユーザ機器装置上に実装される双方向メディアガイダンスアプリケーションを個人化することと
を実行するように構成される回路上に、少なくとも部分的に実装される中央データ管理システムを備える、システム。
【手続補正２】
【補正対象書類名】明細書
【補正対象項目名】００１１
【補正方法】変更
【補正の内容】
【００１１】
加えて、そこからコンテンツデータおよびアプリケーションがアクセスされるユーザ機器装置の性能に適合する形式で、ユーザにメディアコンテンツおよびメディアガイダンスアプリケーションを自動的に送達するための方法およびシステムが提供される。例えば、双方向メディアガイダンスアプリケーションまたは推奨されたコンテンツアイテムの表示は、ユーザの装置が、パーソナルコンピュータ、携帯電話、自動車用娯楽システム、テレビ、セットトップボックス、ＤＶＲ、または携帯型メディアプレーヤであるかに依存してもよい。このタイプの装置特有の個人化は、中央データ管理システムに記憶されたプロファイル情報を使用して実装されてもよい。ユーザ機器装置の性能に適合する形式での、ユーザへのメディアおよびメディア関連データの自動送達は、その全体を参照することにより本明細書に組み込まれる、２００６年９月２９日出願のＳｔａｒｋｅｎｂｕｒｇらの米国特許出願第１１／５４１，２４５号に関連して、さらに詳細に論議されている。
例えば、本発明は以下の項目を提供する。
（項目１）
メディアネットワーク内の第１のユーザ機器装置および第２のユーザ機器装置の少なくとも一方によって実行される録画関連動作に基づいて、双方向メディアガイダンスアプリケーションを個人化するための方法であって、
番組を録画することに関連する第１の動作を示す、該第１のユーザ機器装置からの情報を受信することと、
番組を録画することに関連する第２の動作を示す、該第２のユーザ機器装置からの情報を受信することと、
該第１および第２のユーザ機器装置からの該受信した情報に基づいて、プロファイルを生成することと、
該生成したプロファイルに基づいて、該第１および第２のユーザ機器装置上に実装される双方向メディアガイダンスアプリケーションを個人化することと
を含む、方法。
（項目２）
上記第１および第２の動作は、上記番組の録画を命令すること、該番組の録画を予定に入れること、該番組を録画すること、および該番組の録画を削除することのうちの少なくとも１つを含む、項目１に記載の方法。
（項目３）
上記プロファイルは、ユーザの選好情報と、上記第１および第２のユーザ機器装置の装置構成情報とを閲覧することを含む、項目１に記載の方法。
（項目４）
上記装置構成情報は、ユーザ動作の時間中の、各装置上の利用可能な記憶スペース、各装置の現在の状態、および各装置の予測状態のうちの少なくとも１つを備える、各ユーザ機器装置の状態を提供する、項目３に記載の方法。
（項目５）
上記プロファイルは、上記第１および第２のユーザ機器装置の少なくとも一方において発生した非録画動作の一覧を含む、項目１に記載の方法。
（項目６）
上記第１および第２のユーザ機器装置から遠隔にある中央サーバに上記プロファイルを記憶することをさらに含む、項目１に記載の方法。
（項目７）
上記メディアネットワークから中央にアクセス可能な複数のサーバに上記プロファイルを記憶することをさらに含む、項目１に記載の方法。
（項目８）
上記双方向メディアガイダンスアプリケーションを個人化することは、標的広告を提供することを含む、項目１に記載の方法。
（項目９）
上記双方向メディアガイダンスアプリケーションを個人化することは、番組を推奨することを含む、項目１に記載の方法。
（項目１０）
上記推奨される番組は、上記第１および第２のユーザ機器装置上で見られたことがない、項目９に記載の方法。
（項目１１）
推奨された番組の一覧を上記第１および第２のユーザ機器装置の少なくとも一方に表示することをさらに含む、項目９に記載の方法。
（項目１２）
上記第１および第２のユーザ機器装置の各々のタイプに基づいて、上記双方向メディアガイダンスアプリケーションを個人化することをさらに含む、項目１に記載の方法。
（項目１３）
上記第１および第２のユーザ機器装置の各々のタイプは、パーソナルコンピュータ、携帯電話、自動車用娯楽システム、テレビ、セットトップボックス、ＤＶＲ、および携帯型メディアプレーヤのうちの１つを含む、項目１２に記載の方法。
（項目１４）
上記第１のユーザ機器装置と上記第２のユーザ機器装置とは、異なる装置タイプである、項目１に記載の方法。
（項目１５）
上記プロファイルは、上記第１のユーザ機器装置および上記第２のユーザ機器装置によって録画された番組の録画履歴を含む、項目１に記載の方法。
（項目１６）
メディアネットワーク内の第１のユーザ機器装置および第２のユーザ機器装置のうちの少なくとも一方によって実行される録画関連動作に基づいて、双方向メディアガイダンスアプリケーションを個人化するためのメディアガイダンスシステムであって、
番組を録画することに関連する第１の動作を示す、該第１のユーザ機器装置からの情報を受信することと、
番組を録画することに関連する第２の動作を示す、該第２のユーザ機器装置からの情報を受信することと、
該第１および第２のユーザ機器装置からの該受信した情報に基づいてプロファイルを生成することと、
該生成したプロファイルに基づいて、該第１および第２のユーザ機器装置上に実装される双方向メディアガイダンスアプリケーションを個人化することと
を実行するように構成される回路上に、少なくとも部分的に実装される中央データ管理システムを備える、システム。
（項目１７）
上記第１および第２の動作は、上記番組の録画を命令すること、該番組の録画を予定に入れること、該番組を録画すること、および該番組の録画を削除することのうちの少なくとも１つを含む、項目１６に記載のシステム。
（項目１８）
上記プロファイルは、ユーザの選好情報と、上記第１および第２のユーザ機器装置の装置構成情報とを閲覧することを含む、項目１６に記載のシステム。
（項目１９）
上記装置構成情報は、ユーザ動作の時間中の、各装置上の利用可能な記憶スペース、各装置の現在の状態、および各装置の予測状態のうちの少なくとも１つを備える、各ユーザ機器装置の状態を提供する、項目１８に記載のシステム。
（項目２０）
上記プロファイルは、上記第１および第２のユーザ機器装置の少なくとも一方で発生した非録画動作の一覧を含む、項目１６に記載のシステム。
（項目２１）
上記第１および第２のユーザ機器装置からの上記受信した情報に基づいてプロファイルを生成するように構成される上記回路は、該第１および第２のユーザ機器装置から遠隔の中央サーバに該プロファイルを記憶するように構成される、項目１６に記載のシステム。
（項目２２）
上記第１および第２のユーザ機器装置からの上記受信した情報に基づいてプロファイルを生成するように構成される上記回路は、上記メディアネットワークから中央にアクセス可能な複数のサーバに該プロファイルを記憶するように構成される、項目１６に記載のシステム。
（項目２３）
上記双方向メディアガイダンスアプリケーションを個人化するように構成される上記回路は、標的広告を提供するように構成される回路を含む、項目１６に記載のシステム。
（項目２４）
上記双方向メディアガイダンスアプリケーションを個人化するように構成される上記回路は、番組を推奨するように構成される回路を含む、項目１６に記載のシステム。
（項目２５）
上記推奨された番組は、上記第１および第２のユーザ機器装置上で見られたことがない、項目２４に記載のシステム。
（項目２６）
上記推奨された番組は、上記第１および第２のユーザ機器装置の少なくとも一方に表示される、項目２４に記載のシステム。
（項目２７）
上記双方向メディアガイダンスアプリケーションを個人化するように構成される上記回路は、上記第１および第２のユーザ機器装置の各々のタイプに基づいて、該双方向メディアガイダンスアプリケーションを個人化するように構成される、項目１６に記載のシステム。
（項目２８）
上記第１および第２のユーザ機器装置の各々のタイプは、パーソナルコンピュータ、携帯電話、自動車用娯楽システム、テレビ、セットトップボックス、ＤＶＲ、および携帯型メディアプレーヤのうちの１つを含む、項目２７に記載のシステム。
（項目２９）
上記第１のユーザ機器装置と上記第２のユーザ機器装置とは、異なる装置タイプである、項目１６に記載のシステム。
（項目３０）
上記プロファイルは、上記第１のユーザ機器装置および上記第２のユーザ機器装置によって録画された番組の録画履歴を含む、項目１６に記載のシステム。